【手続補正書】
【提出日】平成27年4月24日(2015.4.24)
【手続補正１】
【補正対象書類名】特許請求の範囲
【補正対象項目名】全文
【補正方法】変更
【補正の内容】
【特許請求の範囲】
【請求項１】
おもて面及び裏材を含むカーペットタイルと、シリコーン系接着剤を含む接着成分とを含む、モジュラーカーペットシステムであって、
該裏材が、少なくとも５０％のアモルファス含量を有するポリマーを含み、該カーペットタイルが、不利な条件下で寸法安定性を維持するのに有効であり、
不利な条件が、
少なくとも約４ポンド／２４時間／１０００平方フィートの水蒸気放出率、
少なくとも約８０％の原位置相対湿度、および
少なくとも約８の表面水分ｐＨ、のうち少なくとも１つを含む、モジュラーカーペットシステム。
【請求項２】
前記不利な条件が、
少なくとも約５ポンド／２４時間／１０００平方フィートの水蒸気放出率、
少なくとも約９０％の原位置相対湿度、および
少なくとも約１０の表面水分ｐＨ、のうち少なくとも１つを含む、
請求項１に記載のシステム。
【請求項３】
前記ポリマーがポリビニルブチラールを含む、請求項１または２に記載のシステム。
【請求項４】
前記ポリマーが、修飾ポリカーボネート、超高分子量ポリエチレン、アタクチックポリプロピレン、シリコーンエラストマー、熱可塑性ポリオレフィン、熱可塑性エラストマー、ビチューメン、又はそれらの任意の組み合わせを含んでいてもよい請求項１または２に記載のシステム。
【請求項５】
前記裏材がフィラーをさらに含む、請求項１〜４のいずれか一項に記載のシステム。
【請求項６】
前記裏材が、約２５〜約６０重量％のポリビニルブチラール及び約４０〜約７５重量％のフィラーを含む、請求項５に記載のシステム。
【請求項７】
前記裏材が可塑剤をさらに含む、請求項１〜６のいずれか一項に記載のシステム。
【請求項８】
前記接着剤が裏材に接触しており、かつ
前記接着剤が１４０°Ｆに３０日間曝露された後に可塑剤による可塑化に耐える、
請求項７に記載のシステム。
【請求項９】
前記耐変形性が、水中に少なくとも約２時間浸した後に約０．１５％未満の長さ又は幅の変化を有することを含む、請求項１〜８のいずれか一項に記載のシステム。
【請求項１０】
前記耐変形性が、ＩＳＯ  ２５５１を用いて測定する場合、約０．１５％未満の長さ又は幅の変化を有することを含む、請求項１〜９のいずれか一項に記載のシステム。
【請求項１１】
前記耐変形性が、水中に約２時間浸した後に約０．０７８インチ未満の平面ずれを有することを含む、請求項１〜１０のいずれか一項に記載のシステム。
【請求項１２】
前記接着剤が、不利な条件にさらされる前に３．５重量ポンド／平方インチを超える接着タックを有する、請求項１〜１１のいずれか一項に記載のシステム。
【請求項１３】
前記接着剤が、不利な条件にさらされる前に約７．６重量ポンド／平方インチの接着タックを有する、請求項１〜１２のいずれか一項に記載のシステム。
【請求項１４】
前記接着剤が、水中に約１日間浸した後に２．０重量ポンド／平方インチを超える接着タックを有する、請求項１〜１３のいずれか一項に記載のシステム。
【請求項１５】
前記接着剤が、ｐＨ１２の溶液中に約１日間浸した後に２．７重量ポンド／平方インチを超える接着タックを有する、請求項１〜１４のいずれか一項に記載のシステム。
【請求項１６】
前記接着剤が、不利な条件にさらされる前に約２１．７重量ポンド／平方インチ〜約３３．３重量ポンド／平方インチのせん断強度を有する、請求項１〜１５のいずれか一項に記載のシステム。
【請求項１７】
前記接着剤が、接着テープ、支持体なしの接着固定材、接着コーティング、又はそれらの任意の組み合わせを構成する、請求項１〜１６のいずれか一項に記載のシステム。
【請求項１８】
前記接着成分が接着テープを構成し、
不利な条件にさらされた後に該接着テープが実質的に層間剥離を示さない、請求項１〜１７のいずれか一項に記載のシステム。
【請求項１９】
前記接着成分が、約１ｍｉｌ〜約５ｍｉｌの厚さを有する接着テープを構成する、請求項１〜１７のいずれか一項に記載のシステム。
【請求項２０】
前記接着成分が、約２０重量ポンド〜約４０重量ポンドの引張強度を有する接着テープを構成する、請求項１〜１７のいずれか一項に記載のシステム。
【請求項２１】
前記接着成分及び前記カーペットタイルを含む設備において使用される、請求項１〜２０のいずれか一項に記載のシステム。
【請求項２２】
前記カーペットタイルが、複数のカーペットタイルのうち第１のカーペットタイルであり、該複数のカーペットタイルが、設備において隣り合った配置に置かれており、および
前記接着成分が、複数のカーペットタイルを設備内で隣り合った配置に維持する、請求項２１に記載のシステム。
【請求項２３】
不利な条件下で前記カーペットタイルを設備に前記接着剤で固定することを含む方法に従って使用される、請求項１〜２０のいずれか１項に記載のシステムであって、
不利な条件が、
少なくとも約５ポンド／２４時間／１０００平方フィートの水蒸気放出率、
少なくとも約９０％の原位置相対湿度、及び
少なくとも約１０の表面水分ｐＨ
のうち少なくとも１つを含み、
カーペットタイルが不利な条件下で変形に耐える、システム。
【請求項２４】
不利な条件下で前記カーペットタイルを設備に前記接着剤で固定することを含む方法に従って使用される、請求項１〜２０のいずれか１項に記載のシステムであって、
不利な条件が、
少なくとも約５ポンド／２４時間／１０００平方フィートの水蒸気放出率、
少なくとも約９０％の原位置相対湿度、及び
少なくとも約１０の表面水分ｐＨ
のうち少なくとも１つを含み、
カーペットタイルが不利な条件下で変形に耐え、
接着剤が不利な条件下でカーペットタイルを設備に保持する、システム。
【請求項２５】
おもて面及び裏材を含むカーペットタイルと、シリコーン系接着剤からなる接着成分からなるモジュラーカーペットシステムであって、
該裏材がポリビニルブチラールからなり、
該カーペットタイルは、少なくとも約２時間の水中浸漬後に、約０．１５％未満の長さ又は幅において変化を受け、
該接着剤は３．５重量ポンド／平方インチより大きい初期接着タックを有し、及び、該接着剤は、約１日の水中浸漬後に、２．０重量ポンド／平方フィートより大きい接着タックを有することを特徴とするモジュラーカーペットシステム。
【請求項２６】
前記接着剤の初期接着タックが約７．６重量ポンド／平方インチである、請求項２５に記載のシステム。
【請求項２７】
前記接着剤が、約２１．７重量ポンド７平方インチ〜は約３３．３重量ポンド／平方インチの初期せん断値を有する、請求項２５又は２６に記載のシステム。
【請求項２８】
前記裏材が、約２５重量％〜約６０重量％のポリビニルブチラールからなる、請求項２５〜２７のいずれか一項に記載のシステム。
【請求項２９】
前記接着成分が、接着テープ、支持体なしの接着剤、接着コーティング、又はこれらの組合せからなる、請求項２５〜２８のいずれか一項に記載のシステム。
【請求項３０】
前記カーペットタイルが複数のカーペットタイルのうち第１のカーペットタイルであり、該複数のカーペットタイルが設備において隣り合った配置に置かれており、
該接着成分が複数のカーペットタイルを設備内で隣り合った配置に維持する、請求項２５〜２９のいずれか一項に記載のシステム。
【請求項３１】
不利な条件下で前記カーペットタイルを設備に前記接着剤で固定することを含む方法に従って使用される、請求項２５〜２９のいずれか一項に記載のシステムであって、
不利な条件が、
少なくとも約５ポンド／２４時間／１０００平方フィートの水蒸気放出率、
少なくとも約９０％の原位置相対湿度、及び
少なくとも約１０の表面水分ｐＨ、のうち少なくとも１つを含み、
カーペットタイルが不利な条件下で変形に耐え、かつ
該接着成分が不利な条件下でカーペットタイルを設備に保持する、システム。
【請求項３２】
おもて面及び裏材を含むカーペットタイルと、シリコーン系接着剤を含む接着成分とを含む、モジュラーカーペットシステムであって、
裏材が、ポリビニルブチラールを含み、カーペットタイルが、不利な条件下で寸法安定性を維持するのに有効であり、
不利な条件が、
少なくとも約４ポンド／２４時間／１０００平方フィートの水蒸気放出率、
少なくとも約８０％の原位置相対湿度、及び
少なくとも約８の表面水分ｐＨ、のうち少なくとも１つを含む、モジュラーカーペットシステム。
【請求項３３】
前記不利な条件が、
少なくとも約８ポンド／２４時間／１０００平方フィートの水蒸気放出率、
少なくとも約８５％の原位置相対湿度、及び
少なくとも約１１までの表面水分ｐＨ、のうち少なくとも１つを含む、請求項３２に記載のシステム。
【請求項３４】
少なくとも約２時間の水中浸漬後に、約０．１５％未満の長さ又は幅における変化、
ＩＳＯ２５５１を使用して測定された約０．１５％未満の長さ又は幅における変化、
少なくとも約２時間の水中浸漬後に、約０．０７８インチ未満の平面ずれ、
の少なくとも１つからなる変形に耐久性を示す、請求項３２又は３３に記載のシステム。
【請求項３５】
前記接着剤が、
不利な条件にさらされる前に３．５重量ポンド／平方インチを超える接着タック、
水中に約１日間浸した後に２．０重量ポンド／平方インチを超える接着タック、
ｐＨ１２の溶液中に約１日間浸した後に２．７重量ポンド／平方インチを超える接着タック、
の少なくとも１つを有する、請求項３２〜３４のいずれか一項に記載のシステム。
【請求項３６】
前記接着剤が、不利な条件にさらされる前に約７．６重量ポンド／平方インチの接着タックを有する、請求項３２〜３５のいずれか一項に記載のシステム。
【請求項３７】
前記裏材が、約２５〜約６０重量％のポリビニルブチラールを含有する、請求項３２〜３６のいずれか一項に記載のシステム。
【請求項３８】
前記接着テープが、
約１ｍｉｌ〜約５ｍｉｌの厚さ、および
約２０重量ポンド〜約４０重量ポンドの引張強度を有する、請求項３２〜３７のいずれか一項に記載のシステム。
【請求項３９】
前記接着剤及び複数の前記カーペットタイルを含む設備において使用される、請求項３２〜３８のいずれか一項に記載のシステムであって、
該カーペットタイルが、隣り合った配置に置かれており、および
該接着テープが別のタイルに結合して隣り合った配置をとっている、システム。
【請求項４０】
おもて面及び裏材を含むカーペットタイルと、シリコーン系接着剤からなる接着成分からなるモジュラーカーペットシステムであって、
該裏材がポリビニルブチラールからなり、
該カーペットタイルは、約２時間の水中浸漬後に約０．０７８インチ未満の平面ずれを示し、該接着剤は３．５重量ポンド／平方インチより大きい初期接着タックを有し、及び、
該接着剤は、約１日の水中浸漬後に、２．０重量ポンド／平方フィートより大きい接着タックを有することを特徴とするモジュラーカーペットシステム。
【請求項４１】
前記接着剤が、約２１．７重量ポンド／平方インチ〜約３３．３重量ポンド／平方インチのせん断強度を有する、請求項４０に記載のシステム。
【請求項４２】
前記裏材が約２５重量％〜約６０重量％のポリビニルブチラールとフィラーからなる、請求項４０又は４１に記載のシステム。
【請求項４３】
前記接着成分が、接着テープ、支持体なしの接着剤、接着コーティング、又はこれらの組合せからなる、請求項４０〜４２のいずれか一項に記載のシステム。
【請求項４４】
前記接着成分が、約１ｍｉｌ〜約５ｍｉｌの厚さで、約２０重量ポンド〜約４０重量ポンドの引張強度を有する接着テープからなる、請求項４０〜４３のいずれか一項に記載のシステム。
【請求項４５】
前記接着剤及び複数の前記カーペットタイルを含む設備において使用される、請求項４０〜４４のいずれか一項に記載のシステムであって、
該カーペットタイルが、隣り合った配置に置かれており、および
該接着成分が隣り合った配置において複数のカーペットタイルを固定している、システム。